(57)【要約】【課題】  加工容易かつ低コストでありながら、一旦皮膚へ塗布された美容処理剤の削剥を有効に防止することができるとともに、皮膚に対するマッサージ効果を有効に発揮することがきる美容器具を提供することを目的とする。【解決手段】    この発明に係る美容器具は、支持部材１０と、支持部材１０の上部に配設されるパッド２０と、パッド２０の外周をうスポンジ部材３０と、支持部材１０、パッド２０およびスポンジ部材３０を固定するための固定部材５０と、振動を発生する振動部材としてのバイブレーションモータ４０とを備える。この固定部材５０は、スポンジ部材３０をパッド２０との間で狭持し、スポンジ部材３０をパッド２０に対して固定する。また、固定部材５０が支持部材１０と嵌合することにより、スポンジ部材３０およびパッド２０が支持部材１０に対して固定される。【選択図】        図２
2005124893.tif 000002
【特許請求の範囲】
【請求項１】
支持部材と、
前記支持部材に配設され、前記支持部材の表面から突出する凸部を有するパッドと、
前記パッドの内部に配設され、振動を発生する振動部材と、
前記パッドにおける凸部の表面を覆うように配設された多孔質部材と、
を備えたことを特徴とする美容器具。
【請求項２】
請求項１に記載の美容器具において、
前記パッドは有底筒状の形状を有し、前記多孔質部材におけるパッドのコーナ部に対応する領域は曲線状の形状を有する美容器具。
【請求項３】
請求項２に記載の美容器具において、
前記多孔質部材は、前記パッドに対し着脱可能に配設される美容器具。
【請求項４】
請求項３に記載の美容器具において、
前記多孔質部材は、プレス加工により、前記パッドにおける凸部の表面を層状に覆う形状に成形される美容器具。
【請求項５】
請求項３に記載の美容器具において、
前記多孔質部材は柔軟性を有する平面状のものからなり、前記パッドにおける凸部の表面形状に沿って展張される美容器具。
【請求項６】
請求項４または請求項５に記載の美容器具において、
前記多孔質部材を、その外周全周を前記パッドとの間で狭持することにより前記パッドに対して固定する環状の固定部材を備える美容器具。
【請求項７】
請求項６に記載の美容器具において、
前記多孔質部材を前記パッドに対して固定した前記固定部材が前記支持部材と嵌合することにより、前記多孔質部材および前記パッドが前記支持部材に対して固定される美容器具。
【請求項８】
請求項１乃至請求項７のいずれかに記載の美容器具において、
前記振動部材は、バイブレーションモータからなる美容器具。
【発明の詳細な説明】
【技術分野】
【０００１】
この発明は、皮膚に対して振動を付与することにより美容効果を奏せしめる美容器具に関する。
【背景技術】
【０００２】
このような美容器具として、例えば、特許文献１に記載されるような美容器具が知られている。特許文献１に記載の美容器具は、振動発生手段を内蔵した装置本体から構成される。この装置本体の先端部には、多孔質部材からなる美容処理用チップが固定されており、この美容処理用チップを皮膚表面に当接させることにより、装置本体の振動を皮膚へ伝達する。
【０００３】
特許文献１に記載の美容器具によれば、美容処理用チップが多孔質部材からなるため、この多孔質部材内に美容処理剤を含侵、保持させることができる。これにより、皮膚に対してマッサージ効果を付与し、老化した角質の除去を均一なものとすることが可能となる。
【特許文献１】特開２００３−２０５００８号公報
【発明の開示】
【発明が解決しようとする課題】
【０００４】
一方、一旦皮膚表面上へ塗布された美容処理剤の美容効果を保持させるためには、この美容処理剤が削剥されることなく、皮膚表面上に均一に塗布されることが要求される。ここで、皮膚表面に当接する美容処理用チップがその当接面における平面角が角張っている場合には、一旦皮膚表面に塗布された美容処理剤が、その角により削剥され、皮膚表面に均一に塗布されることが困難となる。
【０００５】
そこで、皮膚表面に当接する美容処理チップは、その当接面における平面角が丸く形成されることが望ましい。
【０００６】
しかしながら、特許文献１に記載の美容器具における美容処理用チップは、棒形状を有しており、この美容処理用チップの皮膚当接面における平面角を丸くすることは、高度な加工技術を要するという問題を生じる。また、このような美容処理用チップを製作するためには、高コストを必要とするという問題が生じる。
【０００７】
さらに、特許文献１に記載の美容器具は、その構成上、美容処理チップと振動発生手段とを近接させて配置することが困難である。このため、振動発生手段による振動を美容処理用チップに有効に伝達することができず、皮膚に対するマッサージ効果を有効に発揮することができないという問題が生じる。
【０００８】
この発明は、以上のような課題を解決するためになされたものであり、加工容易かつ低コストでありながら、一旦皮膚へ塗布された美容処理剤の削剥を有効に防止することができるとともに、皮膚に対するマッサージ効果を有効に発揮することがきる美容器具を提供することを目的とする。
【課題を解決するための手段】
【０００９】
請求項１に記載の発明は、支持部材と、前記支持部材に配設され、前記支持部材の表面から突出する凸部を有するパッドと、前記パッドの内部に配設され、振動を発生する振動部材と、前記パッドにおける凸部の表面を覆うように配設された多孔質部材とを備えたことをを特徴とする。
【００１０】
請求項２に記載の発明は、請求項１に記載の美容器具において、前記パッドは有底筒状の形状を有し、前記多孔質部材におけるパッドのコーナ部に対応する領域は曲線状の形状を有する。
【００１１】
請求項３に記載の発明は、請求項２に記載の美容器具において、前記多孔質部材は、前記パッドに対し着脱可能に配設される。
【００１２】
請求項４に記載の発明は、請求項３に記載の美容器具において、前記多孔質部材は、プレス加工により、前記パッドにおける凸部の表面を層状に覆う形状に成形される。
【００１３】
請求項５に記載の発明は、請求項３に記載の美容器具において、前記多孔質部材は柔軟性を有する平面状のものからなり、前記パッドにおける凸部の表面形状に沿って展張される。
【００１４】
請求項６に記載の発明は、請求項４または請求項５に記載の美容器具において、前記多孔質部材を、その外周全周を前記パッドとの間で狭持することにより前記パッドに対して固定する環状の固定部材を備える。
【００１５】
請求項７に記載の発明は、請求項６に記載の美容器具において、前記多孔質部材を前記パッドに対して固定した前記固定部材が前記支持部材と嵌合することにより、前記多孔質部材および前記パッドが前記支持部材に対して固定される。
【００１６】
請求項８に記載の発明は、請求項１乃至請求項７のいずれかに記載の美容器具において、前記振動部材は、バイブレーションモータからなる。
【発明の効果】
【００１７】
請求項１および請求項２に記載の発明によれば、パッドにおける凸部の表面を覆うように配設された多孔質部材を備えることから、加工容易かつ低コストでありながら、一旦皮膚へ塗布された美容処理剤の削剥を有効に防止することができる。また、振動を発生する振動部材がパッドの内部に配設されることから、皮膚に対するマッサージ効果を有効に発揮することがきる。
【００１８】
請求項３に記載の発明によれば、多孔質部材は、前記パッドに対し着脱可能に配設されることから、多孔質部材を取り替えることができる。これにより、皮膚表面と当接する多孔質部材を清潔な状態とすることができる。
【００１９】
請求項４および請求項５に記載の発明によれば、簡易な構成でありながら、多孔質部材におけるパッドのコーナー部に対応する領域を曲線状の形状とすることができる。
【００２０】
請求項６および請求項７に記載の発明によれば、多孔質部材を、その外周全周をパッドとの間で狭持することによりパッドに対して固定する環状の固定部材を備えることから、多孔質部材を簡易に取り替えることができる。
【００２１】
請求項８に記載の発明によれば、振動部材はバイブレーションモータからなることから、皮膚表面に対して有効な振動を与えることができる。
【発明を実施するための最良の形態】
【００２２】
以下、この発明の実施の形態を図面に基づいて説明する。
【００２３】
図１はこの発明に係る美容器具を示す正面図であり、図２はその断面図である。また、図３は図１の左側面図である。
【００２４】
この発明に係る美容器具は、支持部材１０と、支持部材１０の上部に配設されるパッド２０と、パッド２０の外周を覆う多孔質部材としてのスポンジ部材３０と、支持部材１０、パッド２０およびスポンジ部材３０を固定するための固定部材５０と、振動を発生する振動部材としてのバイブレーションモータ４０とを備える。
【００２５】
なお、この明細書において、バイブレーションモータとは、偏心ロータを備えることにより振動を引き起こすモータのことである。
【００２６】
パッド２０は、有底筒状の形状を有する。そして、このパッド２０は、支持部材１０と組み合わされたときに、その外周面が支持部材１０の表面から突出する凸部２１を有する。
【００２７】
スポンジ部材３０は、パッド２０の凸部２１を覆う形状を有している。このスポンジ部材３０におけるパッド２０のコーナー部２３に対応するに対応する領域は、曲線状の形状を有する。
【００２８】
図４は、スポンジ部材３０を成形する様子を示す説明図である。
【００２９】
平面状のスポンジ部材３０は、プレス加工機において、スポンジ部材３０のパッド２０との接触面を成形する内型６１とスポンジ部材３０の外部表面を成形する外型６２との間に挿入される。そして、内型６１が矢印方向（外型６２方向）へスポンジ部材３０を変形させるために十分な押圧力をもって移動する。これにより、スポンジ部材３０のパッド２０との接触面は内型６１と同一形状となり、スポンジ部材３０の外部表面は外型６２と同一形状に変形される。ここで、内型６１は、パッド２０の凸部２１の形状と略同一の形状を有し、外型６２のコーナー部２３は丸みを帯びた形状を有しているものとする。このため、これらの内型６１および外型６２により成形されたスポンジ部材３０は、パッド２０の凸部２１の形状に適合した形状に成形されるとともに、その外部表面はパッド２０のコーナー部２３に対応する領域は曲線状の形状に成形される。
【００３０】
このようなスポンジ部材３０の成形方法を採用することから、簡易な構成でありながら、スポンジ部材３０におけるパッド２０のコーナー部２３に対応する領域を曲線状とすることができる。また、このようにスポンジ部材３０におけるパッド２０のコーナー部２３に対応する領域を曲線状とすることから、この美容器具を皮膚表面上において摺動させる場合においても、一旦皮膚表面へ塗布された美容処理剤の美容器具による削剥を有効に防止することができる。さらに、このようなスポンジ部材３０の構成により、皮膚表面との間に生じる摩擦を低減し、肌触りを良くすることができる。
【００３１】
図５は、固定部材５０により、スポンジ部材３０がパッド２０に対して固定される状態を示す説明図である。また、図６は、固定部材５０により固定されたパッド２０およびスポンジ部材３０が固定部材５０を利用して支持部材１０に固定される状態を示す説明図である。
【００３２】
この固定部材５０は、スポンジ部材３０の外周全周をパッド２０との間で狭持することにより、スポンジ部材３０をパッド２０に対して固定する構成となっている。この固定部材５０を利用してスポンジ部材３０をパッド２０に対して固定する場合には、図５に示すように、スポンジ部材３０をパッド２０の凸部２１上を覆うように、嵌合させる。この状態において、スポンジ部材３０の外側から固定部材５０を挿嵌させる。また、図６に示すように、スポンジ部材３０をパッド２０に対して固定した固定部材５０が支持部材１０と嵌合することにより、スポンジ部材３０およびパッド２０が支持部材１０に対して固定される。
【００３３】
図７は、固定部材５０を示す説明図である。これらの図のうち、図７（ａ）は固定部材５０の断面を、図７（ｂ）は固定部材５０の側面を、図７（ｃ）は固定部材の爪部５１の拡大断面を示している。
【００３４】
固定部材５０は、その側面に互いに等間隔に配置される４つの爪部５１を備える。それぞれの爪部５１には、凹部５１ａが形成される。これらの爪部５１は、片持ち梁状の構造を有し、固定部材５０の外側方向に対して弾性力を有する。固定部材５０を支持部材１０に固定する場合には、固定部材５０における爪部５１を固定部材５０の内側方向に撓ませながら、支持部材１０における孔部１１内に挿入する。そして、固定部材５０の凹部５１ａと支持部材１０の凸部１１ａとを係合させることにより、支持部材１０、パッド２０およびスポンジ部材３０を固定することができる。
【００３５】
また、固定部材５０を支持部材１０から取り外す場合には、固定部材５０における爪部５１を固定部材５０の内側方向に撓ませながら、固定部材５０の凹部５１ａと支持部材１０の凸部１１ａとの係合を解除する。そして、固定部材５０を支持部材１０の孔部１１内から引き出すことにより、固定部材５０を支持部材１０から取り外すことができる。
【００３６】
この美容器具は、以上に説明したような固定部材５０を備えることから、スポンジ部材３０に汚れが生じた場合にも、簡易にスポンジ部材３０をパッド２０から取り外して洗浄したり、他のスポンジ部材と取り替えたりすることができる。このため、衛生的な状態でこの美容器具を使用することができる。
【００３７】
図８は、美容器具を図１における上方からその一部を破断して見た断面図である。
【００３８】
図２および図８を参照して、バイブレーションモータ４０は、例えば、無負荷時の回転数が８０００ｒｐｍ、適正負荷時の回転数が５７００ｒｐｍのものが使用される。このバイブレーションモータ４０は、円筒直流モータの出力軸４３にタングステン合金製の偏心ウエイト４４が配設されるものであって、この偏心ウエイト４４の遠心力の差により回転時に振動を発生する。
【００３９】
このようなバイブレーションモータ４０は、パッド２０の内部に配設される。具体的には、バイブレーションモータ４０はモータ固定部材４１に取り付けられ、このモータ固定部材４１に形成される孔部４１ａに挿通された雄ねじ４２とパッド２０における雌ねじ部２２とを螺合させることにより、バイブレーションモータ４０が、パッド２０に対して固定されることとなる。これにより、バイブレーションモータ４０の振動がパッド２０およびパッド２０に固定されるスポンジ部材３０に伝達される。このため、この美容器具のスポンジ部材３０表面を皮膚表面に当接させることにより、皮膚表面に対して有効な振動を与えることができ、皮膚に対するマッサージ効果を有効に発揮することがきる。特に、スポンジ部材３０がパッド２０の表面を覆うように構成されているので、美容器具の皮膚当接面における平面角を丸くすることができ、加工容易かつ低コストでありながら、一旦皮膚表面へ塗布された美容処理剤の削剥を有効に防止することができる。
【００４０】
このような美容器具を使用するときには、まずパッド２０を覆うスポンジ部材３０を皮膚表面に当接させる。この状態で、バイブレーションモータ４０を作動させる。そして、この美容器具は、バイブレーションモータ４０の振動をパッド２０及びスポンジ部材３０を介して皮膚に伝達させることにより、皮膚に対して有効なマッサージ効果を発揮することができる。
【００４１】
なお、図９は、この発明の他の実施形態における固定部材５０により、スポンジ部材１３０がパッド２０に対して固定される状態を示す説明図である。
【００４２】
先に説明した実施形態の美容器具においては、スポンジ部材３０は、プレス加工により、パッド２０の凸部２１の形状に適合した形状に成形とともに、そのパッド２０のコーナー部２３に対応する領域を曲線状の形状に成形するものであるとしている。しかしながら、図８に示すように、柔軟性を有する平面状のスポンジ部材１３０を使用してもよい。このスポンジ部材１３０は、パッド２０の凸部２１上をその形状に沿って展張される。この状態において、固定部材５０により固定されることにより、図６に示すスポンジ部材３０と同一の形状となる。このような柔軟性を有する平面状のスポンジ部材１３０を使用することによっても、簡易な構成でありながら、スポンジ部材１３０におけるパッド２０にコーナー部２３に対応する領域を曲線状の形状にすることができる。
【００４３】
また、図１０は、この発明の他の実施形態における美容器具を示す正面図である。
【００４４】
先に説明した実施形態においては、支持部材１０と、支持部材１０の上部に配設されるパッド２０とを備えているが、支持部材１０を使用する代わりに片手で把持可能な支持部材１２を使用してもよい。この支持部材１２には、支持部材１０における孔部１１および凸部１１ａと同様の孔部１３および凸部１３ａが形成されている。そして、固定部材５０の凹部５１ａと支持部材１２の凸部１３ａとを係合させることにより、支持部材１２、パッド２０およびスポンジ部材３０を固定することができる。
【００４５】
なお、図１０に示す美容器具の内部からバイブレーションモータ４０を省略したものを使用してもよい。このときには、手でこの美容器具を把持して皮膚表面上をパッティングさせたり、摺動させたりすることにより、皮膚表面に美容効果を与えたり、美容処理剤を皮膚表面上に均一に塗布することができる。
【００４６】
また、先に説明した実施形態の美容器具においては、多孔質部材としてスポンジ部材３０を使用することとしているが、その他の多孔質樹脂、多孔質ゴム、多孔質セラミックス等の柔軟性を有する多孔質部材を使用してもよい。
【００４７】
また、先に説明した実施形態においては、振動部材としてバイブレーションモータを使用しているが、その他振動を発生する部材として超音波発振子等を使用してもよい。
【００４８】
また、先に説明した実施形態においては、固定部材５０は４つの爪部５１を供えているが、この数に限られることはなく、爪部５１は２以上の複数個であればよい。
【００４９】
さらに、先に説明した実施形態においては、支持部材１０の上部に唯一の振動部材を備えているが、振動部材は、複数あってもよく、振動数の異なる振動部材を備えてもよい。
【図面の簡単な説明】
【００５０】
【図１】この発明に係る美容器具を示す正面図である。
【図２】この発明に係る美容器具を示す断面図である。
【図３】図１における左側から見た美容器具の側面図である。
【図４】スポンジ部材３０を成形する様子を示す説明図である。
【図５】固定部材５０により、スポンジ部材３０がパッド２０に対して固定される状態を示す説明図である。
【図６】固定部材５０により固定されたパッド２０およびスポンジ部材３０が固定部材５０を利用して支持部材１０に固定される状態を示す説明図である。
【図７】固定部材５０を示す説明図である。
【図８】美容器具を図１における上方からその一部を破断して見た断面図である。
【図９】この発明の他の実施形態における固定部材５０により、スポンジ部材１３０がパッド２０に対して固定される状態を示す説明図である。
【図１０】この発明の他の実施形態における美容器具を示す正面図である。
【符号の説明】
【００５１】
１０    支持部材
１１    孔部
１１ａ  凸部
１２    支持部材
１３    孔部
１３ａ  凸部
２０    パッド
２１    凸部
２２    雌ねじ部
２３    コーナー部
３０    スポンジ部材
４０    バイブレーションモータ
４１    モータ固定部材
４２    雄ねじ
５０    固定部材
５１    爪部
５１ａ  凹部
１３０  スポンジ部材
【図１】
2005124893.tif 000003
【図２】
2005124893.tif 000004
【図３】
2005124893.tif 000005
【図４】
2005124893.tif 000006
【図５】
2005124893.tif 000007
【図６】
2005124893.tif 000008
【図７】
2005124893.tif 000009
【図８】
2005124893.tif 000010
【図９】
2005124893.tif 000011
【図１０】
2005124893.tif 000012